(57)【要約】【課題】複数のデバイスを画像処理装置内に設け且つ当該複数のデバイスで１つの操作表示部を共用する際に、操作表示部から各デバイスへと操作入力情報を伝送するためのインターフェイスの種類を共通化することを要しない技術を提供する。【解決手段】ＭＦＰ１０は、サーバデバイス２０と画像形成デバイス３０と両デバイス２０，３０で共用される操作表示部４０とを備える。操作表示部４０のパネル制御部４１は、タッチパネル４５の利用デバイスを切り替えるべき旨の切替要求を受け付けた場合、タッチパネル４５に関する操作入力情報の送出先デバイス等を変更する。サーバデバイス２０用のＵＳＢインターフェイス５３と画像形成デバイス３０用のＩ２Ｃインターフェイス５４とのうち変更後の送出先デバイスに対応する変更後のインターフェイスを介して、タッチパネル４５に関する操作入力情報が変更後の送出先デバイスに対して送出される。【選択図】図１２
2018139401.tif 000002
【特許請求の範囲】
【請求項１】
画像処理装置であって、
第１のデバイスと、
第２のデバイスと、
前記第１のデバイスと前記第２のデバイスとで共用される操作表示部と、
を備え、
前記操作表示部は、
前記第１のデバイスと前記第２のデバイスとで共用される操作パネルと、
前記操作パネルに関する動作を制御するパネル制御部と、
を有し、
前記パネル制御部は、
前記第１のデバイスと前記操作パネルとを接続する第１のインターフェイスを介して、前記操作パネルに関する操作入力情報を前記第１のデバイスに送出することが可能であり、且つ、
前記第２のデバイスと前記操作パネルとを接続する第２のインターフェイスを介して、前記操作パネルに関する操作入力情報を前記第２のデバイスに送出することが可能であり、且つ、
前記操作パネルの利用デバイスを切り替えるべき旨の切替要求を受け付けることが可能であり、
前記第１のインターフェイスと前記第２のインターフェイスとは、互いに異なる種類のインターフェイスであり、
前記パネル制御部は、前記切替要求を受け付けた場合、
前記操作パネルに関する表示内容の送出元デバイスを変更するとともに、
前記操作パネルに関する操作入力情報の送出先デバイスを変更し、前記第１のインターフェイスと前記第２のインターフェイスとのうち変更後の送出先デバイスに対応する変更後のインターフェイスを介して、前記操作パネルに関する操作入力情報を前記変更後の送出先デバイスに対して送出することを特徴とする画像処理装置。
【請求項２】
請求項１に記載の画像処理装置において、
前記パネル制御部は、
前記切替要求の受付直後の時点から前記操作パネルに関する表示用データの切替後デバイスによる更新完了時点までの期間にて前記操作パネルにおいて受け付けられた操作入力情報を無効化し、当該期間内の操作入力情報を前記第１のデバイスと前記第２のデバイスとのいずれにも送出せず、
前記更新完了時点以後にて前記操作パネルにおいて受け付けられた操作入力情報を変更後の送出先デバイスに送出することを特徴とする画像処理装置。
【請求項３】
請求項１に記載の画像処理装置において、
前記パネル制御部は、前記切替要求に応答して前記操作パネルに関する操作入力情報の送出先デバイスを変更することを特徴とする画像処理装置。
【請求項４】
請求項３に記載の画像処理装置において、
前記変更後の送出先デバイスは、前記切替要求の受付直後の時点から前記操作パネルに関する表示用データの切替後デバイスによる更新完了時点までの期間にて前記操作パネルにおいて受け付けられ且つ前記操作表示部から前記変更後のインターフェイスを介して送出されてきた操作入力情報を破棄することを特徴とする画像処理装置。
【請求項５】
請求項１に記載の画像処理装置において、
前記パネル制御部は、
前記切替要求の受付後においても、前記操作パネルに関する表示用データの切替後デバイスによる更新完了時点までは、前記操作パネルに関する操作入力情報を変更前の送出先デバイスに送出し、
前記表示用データの前記更新完了に応答して前記操作パネルに関する操作入力情報の送出先デバイスを変更し、前記更新完了時点以後にて前記操作パネルにおいて受け付けられた操作入力情報を変更後の送出先デバイスに送出することを特徴とする画像処理装置。
【請求項６】
請求項１に記載の画像処理装置において、
前記パネル制御部は、
前記切替要求に応答して前記操作パネルを消灯し、
前記操作パネルに関する表示用データの切替後デバイスによる更新完了に応答して、前記操作パネルを再点灯するとともに、前記操作パネルに関する操作入力情報の送出先デバイスを変更し、前記再点灯後にて前記操作パネルにおいて受け付けられた操作入力情報を変更後の送出先デバイスに送出することを特徴とする画像処理装置。
【請求項７】
請求項６に記載の画像処理装置において、
前記パネル制御部は、
前記操作パネルの消灯期間にて前記操作パネルにおいて受け付けられた操作入力情報を無効化し、当該消灯期間内の操作入力情報を前記第１のデバイスと前記第２のデバイスとのいずれにも送出せず、
前記操作パネルの前記再点灯後にて前記操作パネルにおいて受け付けられた操作入力情報を前記変更後の送出先デバイスに送出することを特徴とする画像処理装置。
【請求項８】
請求項１に記載の画像処理装置において、
前記パネル制御部は、前記切替要求の受付時点で一連の操作入力が行われている場合には、当該一連の操作入力が完了するまでは前記操作パネルに関する操作入力情報の送出先デバイスを変更せず、当該一連の操作入力が完了した後に前記操作パネルに関する操作入力情報の送出先デバイスを変更することを特徴とする画像処理装置。
【請求項９】
請求項１から請求項８のいずれかに記載の画像処理装置において、
前記第１のインターフェイスによるデータ転送速度は、前記第２のインターフェイスによるデータ転送速度よりも大きいことを特徴とする画像処理装置。
【請求項１０】
請求項１から請求項９のいずれかに記載の画像処理装置において、
前記操作パネルにて同時に識別可能な指の本数として前記第１のデバイスにて要求される指本数は、前記操作パネルにて同時に識別可能な指の本数として前記第２のデバイスにて要求される指本数よりも多く、
前記パネル制御部は、前記第２のインターフェイスを介して前記第２のデバイスに対して前記操作パネルに関する操作入力情報を送出する際には、前記第１のインターフェイスを介して前記第１のデバイスに対して前記操作パネルに関する操作入力情報を送出する際よりも少数の指に関する操作入力情報を送出することを特徴とする画像処理装置。
【請求項１１】
請求項１０に記載の画像処理装置において、
前記パネル制御部は、
前記第１のデバイスに対しては前記第１のインターフェイスを介して、前記操作パネルにて同時に識別可能な最大本数の指に関する操作入力情報を送出し、
前記第２のデバイスに対しては前記第２のインターフェイスを介して、前記最大本数よりも少ない所定数の指に関する操作入力情報を送出することを特徴とする画像処理装置。
【請求項１２】
請求項１から請求項１１のいずれかに記載の画像処理装置において、
前記パネル制御部は、前記操作パネルに関する操作入力情報の送出先デバイスを前記第１のデバイスと前記第２のデバイスとのうちの一のデバイスから他のデバイスへと変更すべき旨の切替要求を前記一のデバイスから受け取り、当該切替要求に基づいて前記送出先デバイスを前記一のデバイスから前記他のデバイスへと変更することを特徴とする画像処理装置。
【請求項１３】
請求項１から請求項１１のいずれかに記載の画像処理装置において、
前記パネル制御部は、前記操作パネルに関する操作入力情報の送出先デバイスを前記第１のデバイスと前記第２のデバイスとのうちの一のデバイスから他のデバイスへと変更すべき旨の切替要求を前記他のデバイスから受け取り、当該切替要求に基づいて前記送出先デバイスを前記一のデバイスから前記他のデバイスへと変更することを特徴とする画像処理装置。
【請求項１４】
請求項１から請求項１３のいずれかに記載の画像処理装置において、
前記第１のインターフェイスと前記第２のインターフェイスとは、互いに異なる規格に準拠するインターフェイスであることを特徴とする画像処理装置。
【請求項１５】
請求項１４に記載の画像処理装置において、
前記第１のインターフェイスは、ＵＳＢインターフェイスであり、
前記第２のインターフェイスは、Ｉ２ＣインターフェイスあるいはＵＡＲＴインターフェイスであることを特徴とする画像処理装置。
【請求項１６】
請求項１から請求項１５のいずれかに記載の画像処理装置において、
前記第１のデバイスは、サーバデバイスであり、
前記第２のデバイスは、画像形成デバイスであることを特徴とする画像処理装置。
【請求項１７】
第１のデバイスと第２のデバイスとを備える画像処理装置に設けられた操作表示部に内蔵されるコンピュータに、
ａ）前記操作表示部に設けられた操作パネルであって前記第１のデバイスと前記第２のデバイスとで共用される操作パネルに関する操作入力情報の送出先デバイスを切り替えるべき旨の切替要求を受け取るステップと、
ｂ）前記切替要求を受け付けた場合、前記操作パネルに関する表示内容の送出元のデバイスを、前記第１のデバイスと前記第２のデバイスとのうちの一のデバイスから他方のデバイスへと変更して、前記送出元のデバイスからの表示内容を前記操作パネルに表示させるとともに、前記操作パネルに関する操作入力情報の送出先デバイスを前記一のデバイスから前記他方のデバイスへと変更し、変更後の送出先デバイスに対応する変更後のインターフェイスを介して、前記操作パネルに関する操作入力情報を前記変更後の送出先デバイスに対して送出するステップと、
を実行させるためのプログラムであって、
前記第１のデバイスと前記操作パネルとは、第１のインターフェイスを介して接続されており、
前記第２のデバイスと前記操作パネルとは、第２のインターフェイスを介して接続されており、
前記第１のインターフェイスと前記第２のインターフェイスとは、互いに異なる種類のインターフェイスであり、
前記ステップｂ）においては、前記操作パネルに関する操作入力情報の送出先デバイスが前記一のデバイスから前記他方のデバイスへと変更されるにあたって、前記操作パネルの利用対象のインターフェイスが、前記第１のインターフェイスと前記第２のインターフェイスとのうち、前記一のデバイスに対応する一のインターフェイスから、前記他のデバイスに対応する他のインターフェイスへと変更されることを特徴とするプログラム。
【請求項１８】
請求項１７に記載のプログラムにおいて、
前記ステップｂ）は、
ｂ−１）前記切替要求の受付直後の時点から前記操作パネルに関する表示用データの切替後デバイスによる更新完了時点までの期間にて前記操作パネルにおいて受け付けられた操作入力情報を無効化し、当該期間内の操作入力情報を前記第１のデバイスと前記第２のデバイスとのいずれにも送出しないステップと、
ｂ−２）前記更新完了時点以後にて前記操作パネルにおいて受け付けられた操作入力情報を変更後の送出先デバイスに送出するステップと、
を有することを特徴とするプログラム。
【請求項１９】
請求項１７に記載のプログラムにおいて、
前記ステップｂ）においては、前記切替要求に応答して前記操作パネルに関する操作入力情報の送出先デバイスが変更されることを特徴とするプログラム。
【請求項２０】
請求項１７に記載のプログラムにおいて、
前記ステップｂ）は、
ｂ−１）前記切替要求の受付後においても前記操作パネルに関する表示用データの切替後デバイスによる更新完了時点までは前記操作パネルに関する操作入力情報を変更前の送出先デバイスに送出するステップと、
ｂ−２）前記表示用データの前記更新完了に応答して前記操作パネルに関する操作入力情報の送出先デバイスを変更し、前記更新完了時点以後にて前記操作パネルにおいて受け付けられた操作入力情報を変更後の送出先デバイスに送出するステップと、
を有することを特徴とするプログラム。
【請求項２１】
請求項１７に記載のプログラムにおいて、
前記ステップｂ）は、
ｂ−１）前記切替要求に応答して前記操作パネルを消灯するステップと、
ｂ−２）前記操作パネルに関する表示用データの切替後デバイスによる更新完了に応答して、前記操作パネルを再点灯するとともに、前記操作パネルに関する操作入力情報の送出先デバイスを変更し、前記再点灯後にて前記操作パネルにおいて受け付けられた操作入力情報を変更後の送出先デバイスに送出するステップ、
を有することを特徴とするプログラム。
【請求項２２】
請求項２１に記載のプログラムにおいて、
前記ステップｂ）は、
ｂ−３）前記ステップｂ−１）と前記ステップｂ−２）との間において、前記操作パネルの消灯期間にて前記操作パネルによって受け付けられた操作入力情報を無効化し、当該消灯期間内の操作入力情報を前記第１のデバイスと前記第２のデバイスとのいずれにも送出しないステップ、
を有し、
前記ステップｂ−２）において、前記操作パネルの前記再点灯後にて前記操作パネルによって受け付けられた操作入力情報が変更後の送出先デバイスに送出されることを特徴とするプログラム。
【請求項２３】
請求項１７に記載のプログラムにおいて、
前記ステップｂ）は、
ｂ−１）前記切替要求の受付時点で一連の操作入力が行われている場合には、当該一連の操作入力が完了するまでは前記操作パネルに関する操作入力情報の送出先デバイスを変更せず、当該一連の操作入力が完了した後に前記操作パネルに関する操作入力情報の送出先デバイスを変更するステップ、
を有することを特徴とするプログラム。
【発明の詳細な説明】
【技術分野】
【０００１】
本発明は、ＭＦＰ（マルチ・ファンクション・ペリフェラル（Multi-Functional Peripheral））などの画像処理装置およびそれに関連する技術に関する。
【背景技術】
【０００２】
ＭＦＰ（画像処理装置）において、Ｉ２Ｃ（Inter-Integrated Circuit）などの組み込み装置用のインターフェイスを用いて操作表示部と制御部との間での信号の授受を行う技術が存在する（特許文献１（特に、その段落０１１５）等参照）。
【先行技術文献】
【特許文献】
【０００３】
【特許文献１】特開２０１３−５９９８６号公報
【発明の概要】
【発明が解決しようとする課題】
【０００４】
ＭＦＰは、画像処理機能（たとえば、プリント機能および／またはスキャン機能等）を実現する装置である。
【０００５】
本願出願人は、画像処理機能のみならずその他の各種機能をも実現する装置（ＭＦＰ）として、独立して動作する複数のデバイス（たとえば、画像形成デバイス（旧来のＭＦＰ等）に加えてサーバデバイス（いわゆるサーバコンピュータ装置）を含む複数のデバイス）を１つの画像処理装置（ＭＦＰ）内に設けることを案出した。さらに、本願出願人は、そのような１つの画像処理装置において、１つの操作表示部を当該複数のデバイスで共用することをも案出した。複数のデバイスを統合する当該技術によれば、オフィス環境等における省スペース化の要請および／または管理容易化の要請等に応えることが可能である。
【０００６】
ところで、画像形成デバイス（旧来のＭＦＰ等）側では、タッチパネルに対する操作入力情報（タッチ情報等）を操作表示部から当該画像形成デバイスへと伝送するための伝送用インターフェイスとして、Ｉ２Ｃなどのインターフェイスが利用されている。Ｉ２Ｃなどのインターフェイスは、当該デバイスに合わせて作り込みを行うのに適したインターフェイス（専門性が高いインターフェイス）である。
【０００７】
一方、サーバデバイス側では、汎用的なコンピュータのＯＳ側で利用可能な様々な操作入力（たとえば、シングルタップのみならず、ダブルタップ、ロングタップ、フリック、複数（２本〜１０本）の指を用いたマルチタッチ操作等）を検出することが求められる。このような操作入力情報を操作表示部から当該サーバデバイスへと伝送するための伝送用インターフェイスとしては、ＵＳＢなどの比較的汎用的な（且つ高速な）インターフェイスが利用される。また、サーバデバイス側では、旧来のＭＦＰとは異なり、様々なベンダーから提供される様々なアプリケーションが動作することが求められる。そのような事情もあり、当該操作入力情報の伝送用インターフェイスとして、ＵＳＢなどの比較的汎用的なインターフェイスを利用することが求められる。
【０００８】
しかしながら、上述のような技術（独立して動作する複数のデバイスを１つの画像処理装置（ＭＦＰ）内に設けるとともに、１つの操作表示部を当該複数のデバイスで共用する技術）において、各デバイスと操作表示部とのインターフェイスの種類を共通化しようとすると、たとえば、画像形成デバイス側にＵＳＢインターフェイスを追加すること、および／またはＵＳＢインターフェイスで動作するように各種プログラムを改変すること等が求められる。そのため、却って追加的なコストが発生してしまうなどの問題が生じる。
【０００９】
そこで、この発明は、複数のデバイスを画像処理装置内に設け且つ当該複数のデバイスで１つの操作表示部を共用する際に、操作表示部から各デバイスへと操作入力情報を伝送するためのインターフェイスの種類を共通化することを要しない技術を提供することを課題とする。
【課題を解決するための手段】
【００１０】
上記課題を解決すべく、請求項１の発明は、画像処理装置であって、第１のデバイスと、第２のデバイスと、前記第１のデバイスと前記第２のデバイスとで共用される操作表示部と、を備え、前記操作表示部は、前記第１のデバイスと前記第２のデバイスとで共用される操作パネルと、前記操作パネルに関する動作を制御するパネル制御部と、を有し、前記パネル制御部は、前記第１のデバイスと前記操作パネルとを接続する第１のインターフェイスを介して、前記操作パネルに関する操作入力情報を前記第１のデバイスに送出することが可能であり、且つ、前記第２のデバイスと前記操作パネルとを接続する第２のインターフェイスを介して、前記操作パネルに関する操作入力情報を前記第２のデバイスに送出することが可能であり、且つ、前記操作パネルの利用デバイスを切り替えるべき旨の切替要求を受け付けることが可能であり、前記第１のインターフェイスと前記第２のインターフェイスとは、互いに異なる種類のインターフェイスであり、前記パネル制御部は、前記切替要求を受け付けた場合、前記操作パネルに関する表示内容の送出元デバイスを変更するとともに、前記操作パネルに関する操作入力情報の送出先デバイスを変更し、前記第１のインターフェイスと前記第２のインターフェイスとのうち変更後の送出先デバイスに対応する変更後のインターフェイスを介して、前記操作パネルに関する操作入力情報を前記変更後の送出先デバイスに対して送出することを特徴とする。
【００１１】
請求項２の発明は、請求項１の発明に係る画像処理装置において、前記パネル制御部は、前記切替要求の受付直後の時点から前記操作パネルに関する表示用データの切替後デバイスによる更新完了時点までの期間にて前記操作パネルにおいて受け付けられた操作入力情報を無効化し、当該期間内の操作入力情報を前記第１のデバイスと前記第２のデバイスとのいずれにも送出せず、前記更新完了時点以後にて前記操作パネルにおいて受け付けられた操作入力情報を変更後の送出先デバイスに送出することを特徴とする。
【００１２】
請求項３の発明は、請求項１の発明に係る画像処理装置において、前記パネル制御部は、前記切替要求に応答して前記操作パネルに関する操作入力情報の送出先デバイスを変更することを特徴とする。
【００１３】
請求項４の発明は、請求項３の発明に係る画像処理装置において、前記変更後の送出先デバイスは、前記切替要求の受付直後の時点から前記操作パネルに関する表示用データの切替後デバイスによる更新完了時点までの期間にて前記操作パネルにおいて受け付けられ且つ前記操作表示部から前記変更後のインターフェイスを介して送出されてきた操作入力情報を破棄することを特徴とする。
【００１４】
請求項５の発明は、請求項１の発明に係る画像処理装置において、前記パネル制御部は、前記切替要求の受付後においても、前記操作パネルに関する表示用データの切替後デバイスによる更新完了時点までは、前記操作パネルに関する操作入力情報を変更前の送出先デバイスに送出し、前記表示用データの前記更新完了に応答して前記操作パネルに関する操作入力情報の送出先デバイスを変更し、前記更新完了時点以後にて前記操作パネルにおいて受け付けられた操作入力情報を変更後の送出先デバイスに送出することを特徴とする。
【００１５】
請求項６の発明は、請求項１の発明に係る画像処理装置において、前記パネル制御部は、前記切替要求に応答して前記操作パネルを消灯し、前記操作パネルに関する表示用データの切替後デバイスによる更新完了に応答して、前記操作パネルを再点灯するとともに、前記操作パネルに関する操作入力情報の送出先デバイスを変更し、前記再点灯後にて前記操作パネルにおいて受け付けられた操作入力情報を変更後の送出先デバイスに送出することを特徴とする。
【００１６】
請求項７の発明は、請求項６の発明に係る画像処理装置において、前記パネル制御部は、前記操作パネルの消灯期間にて前記操作パネルにおいて受け付けられた操作入力情報を無効化し、当該消灯期間内の操作入力情報を前記第１のデバイスと前記第２のデバイスとのいずれにも送出せず、前記操作パネルの前記再点灯後にて前記操作パネルにおいて受け付けられた操作入力情報を前記変更後の送出先デバイスに送出することを特徴とする。
【００１７】
請求項８の発明は、請求項１の発明に係る画像処理装置において、前記パネル制御部は、前記切替要求の受付時点で一連の操作入力が行われている場合には、当該一連の操作入力が完了するまでは前記操作パネルに関する操作入力情報の送出先デバイスを変更せず、当該一連の操作入力が完了した後に前記操作パネルに関する操作入力情報の送出先デバイスを変更することを特徴とする。
【００１８】
請求項９の発明は、請求項１から請求項８のいずれかの発明に係る画像処理装置において、前記第１のインターフェイスによるデータ転送速度は、前記第２のインターフェイスによるデータ転送速度よりも大きいことを特徴とする。
【００１９】
請求項１０の発明は、請求項１から請求項９のいずれかの発明に係る画像処理装置において、前記操作パネルにて同時に識別可能な指の本数として前記第１のデバイスにて要求される指本数は、前記操作パネルにて同時に識別可能な指の本数として前記第２のデバイスにて要求される指本数よりも多く、前記パネル制御部は、前記第２のインターフェイスを介して前記第２のデバイスに対して前記操作パネルに関する操作入力情報を送出する際には、前記第１のインターフェイスを介して前記第１のデバイスに対して前記操作パネルに関する操作入力情報を送出する際よりも少数の指に関する操作入力情報を送出することを特徴とする。
【００２０】
請求項１１の発明は、請求項１０の発明に係る画像処理装置において、前記パネル制御部は、前記第１のデバイスに対しては前記第１のインターフェイスを介して、前記操作パネルにて同時に識別可能な最大本数の指に関する操作入力情報を送出し、前記第２のデバイスに対しては前記第２のインターフェイスを介して、前記最大本数よりも少ない所定数の指に関する操作入力情報を送出することを特徴とする。
【００２１】
請求項１２の発明は、請求項１から請求項１１のいずれかの発明に係る画像処理装置において、前記パネル制御部は、前記操作パネルに関する操作入力情報の送出先デバイスを前記第１のデバイスと前記第２のデバイスとのうちの一のデバイスから他のデバイスへと変更すべき旨の切替要求を前記一のデバイスから受け取り、当該切替要求に基づいて前記送出先デバイスを前記一のデバイスから前記他のデバイスへと変更することを特徴とする。
【００２２】
請求項１３の発明は、請求項１から請求項１１のいずれかの発明に係る画像処理装置において、前記パネル制御部は、前記操作パネルに関する操作入力情報の送出先デバイスを前記第１のデバイスと前記第２のデバイスとのうちの一のデバイスから他のデバイスへと変更すべき旨の切替要求を前記他のデバイスから受け取り、当該切替要求に基づいて前記送出先デバイスを前記一のデバイスから前記他のデバイスへと変更することを特徴とする。
【００２３】
請求項１４の発明は、請求項１から請求項１３のいずれかの発明に係る画像処理装置において、前記第１のインターフェイスと前記第２のインターフェイスとは、互いに異なる規格に準拠するインターフェイスであることを特徴とする。
【００２４】
請求項１５の発明は、請求項１４の発明に係る画像処理装置において、前記第１のインターフェイスは、ＵＳＢインターフェイスであり、前記第２のインターフェイスは、Ｉ２ＣインターフェイスあるいはＵＡＲＴインターフェイスであることを特徴とする。
【００２５】
請求項１６の発明は、請求項１から請求項１５のいずれかの発明に係る画像処理装置において、前記第１のデバイスは、サーバデバイスであり、前記第２のデバイスは、画像形成デバイスであることを特徴とする。
【００２６】
請求項１７の発明は、第１のデバイスと第２のデバイスとを備える画像処理装置に設けられた操作表示部に内蔵されるコンピュータに、ａ）前記操作表示部に設けられた操作パネルであって前記第１のデバイスと前記第２のデバイスとで共用される操作パネルに関する操作入力情報の送出先デバイスを切り替えるべき旨の切替要求を受け取るステップと、ｂ）前記切替要求を受け付けた場合、前記操作パネルに関する表示内容の送出元のデバイスを、前記第１のデバイスと前記第２のデバイスとのうちの一のデバイスから他方のデバイスへと変更して、前記送出元のデバイスからの表示内容を前記操作パネルに表示させるとともに、前記操作パネルに関する操作入力情報の送出先デバイスを前記一のデバイスから前記他方のデバイスへと変更し、変更後の送出先デバイスに対応する変更後のインターフェイスを介して、前記操作パネルに関する操作入力情報を前記変更後の送出先デバイスに対して送出するステップと、を実行させるためのプログラムであって、前記第１のデバイスと前記操作パネルとは、第１のインターフェイスを介して接続されており、前記第２のデバイスと前記操作パネルとは、第２のインターフェイスを介して接続されており、前記第１のインターフェイスと前記第２のインターフェイスとは、互いに異なる種類のインターフェイスであり、前記ステップｂ）においては、前記操作パネルに関する操作入力情報の送出先デバイスが前記一のデバイスから前記他方のデバイスへと変更されるにあたって、前記操作パネルの利用対象のインターフェイスが、前記第１のインターフェイスと前記第２のインターフェイスとのうち、前記一のデバイスに対応する一のインターフェイスから、前記他のデバイスに対応する他のインターフェイスへと変更されることを特徴とする。
【００２７】
請求項１８の発明は、請求項１７の発明に係るプログラムにおいて、前記ステップｂ）は、ｂ−１）前記切替要求の受付直後の時点から前記操作パネルに関する表示用データの切替後デバイスによる更新完了時点までの期間にて前記操作パネルにおいて受け付けられた操作入力情報を無効化し、当該期間内の操作入力情報を前記第１のデバイスと前記第２のデバイスとのいずれにも送出しないステップと、ｂ−２）前記更新完了時点以後にて前記操作パネルにおいて受け付けられた操作入力情報を変更後の送出先デバイスに送出するステップと、を有することを特徴とする。
【００２８】
請求項１９の発明は、請求項１７の発明に係るプログラムにおいて、前記ステップｂ）においては、前記切替要求に応答して前記操作パネルに関する操作入力情報の送出先デバイスが変更されることを特徴とする。
【００２９】
請求項２０の発明は、請求項１７の発明に係るプログラムにおいて、前記ステップｂ）は、ｂ−１）前記切替要求の受付後においても前記操作パネルに関する表示用データの切替後デバイスによる更新完了時点までは前記操作パネルに関する操作入力情報を変更前の送出先デバイスに送出するステップと、ｂ−２）前記表示用データの前記更新完了に応答して前記操作パネルに関する操作入力情報の送出先デバイスを変更し、前記更新完了時点以後にて前記操作パネルにおいて受け付けられた操作入力情報を変更後の送出先デバイスに送出するステップと、を有することを特徴とする。
【００３０】
請求項２１の発明は、請求項１７の発明に係るプログラムにおいて、前記ステップｂ）は、ｂ−１）前記切替要求に応答して前記操作パネルを消灯するステップと、ｂ−２）前記操作パネルに関する表示用データの切替後デバイスによる更新完了に応答して、前記操作パネルを再点灯するとともに、前記操作パネルに関する操作入力情報の送出先デバイスを変更し、前記再点灯後にて前記操作パネルにおいて受け付けられた操作入力情報を変更後の送出先デバイスに送出するステップ、を有することを特徴とする。
【００３１】
請求項２２の発明は、請求項２１の発明に係るプログラムにおいて、前記ステップｂ）は、ｂ−３）前記ステップｂ−１）と前記ステップｂ−２）との間において、前記操作パネルの消灯期間にて前記操作パネルによって受け付けられた操作入力情報を無効化し、当該消灯期間内の操作入力情報を前記第１のデバイスと前記第２のデバイスとのいずれにも送出しないステップ、を有し、前記ステップｂ−２）において、前記操作パネルの前記再点灯後にて前記操作パネルによって受け付けられた操作入力情報が変更後の送出先デバイスに送出されることを特徴とする。
【００３２】
請求項２３の発明は、請求項１７の発明に係るプログラムにおいて、前記ステップｂ）は、ｂ−１）前記切替要求の受付時点で一連の操作入力が行われている場合には、当該一連の操作入力が完了するまでは前記操作パネルに関する操作入力情報の送出先デバイスを変更せず、当該一連の操作入力が完了した後に前記操作パネルに関する操作入力情報の送出先デバイスを変更するステップ、を有することを特徴とする。
【発明の効果】
【００３３】
請求項１から請求項２３に記載の発明によれば、切替要求が受け付けられた場合、操作パネルに関する表示内容の送出元デバイスが変更されるとともに、操作パネルに関する操作入力情報の送出先デバイスが変更され、変更後の送出先デバイスに対応する変更後のインターフェイスを介して、操作パネルに関する操作入力情報が変更後の送出先デバイスに対して送出される。したがって、複数のデバイスを画像処理装置内に設け且つ当該複数のデバイスで１つの操作表示部を共用する際に、操作表示部から各デバイスへと操作入力情報を伝送するためのインターフェイスの種類を共通化することを要しない。
【００３４】
特に、請求項２および請求項１８に記載の発明によれば、切替要求の受付直後の時点から表示内容の更新完了時点までの期間にて操作パネルにおいて受け付けられた操作入力情報が無効化され、当該期間内の操作入力情報は第１のデバイスと第２のデバイスとのいずれにも送出されない。したがって、当該期間において切替後の送出先デバイスにとって無意味な操作入力情報が、当該切替後の送出先デバイスにて受信されることが回避され得る。
【００３５】
また特に、請求項４に記載の発明によれば、変更後の送出先デバイスは、切替要求の受付直後の時点から表示内容の更新完了時点までの期間にて操作パネルにおいて受け付けられ且つ操作表示部から変更後のインターフェイスを介して送出されてきた操作入力情報を破棄する。したがって、当該期間において切替後の送出先デバイスにとって無意味な操作入力情報が適切に取り扱われる。
【００３６】
また特に、請求項５および請求項２０に記載の発明によれば、切替要求の受付後においても表示内容の更新完了時点までは操作パネルに関する操作入力情報は、当該操作入力情報の本来の送出先デバイスである切替前の送出先デバイスに送出される。したがって、切替要求の受付後から表示内容の更新完了時点までの期間において表示中の画面の送出元デバイスと操作入力情報の送出先デバイスとが合致しないことを回避することが可能である。
【００３７】
また特に、請求項６および請求項２１に記載の発明によれば、切替要求に応答して操作パネルを消灯することによって、消灯期間にてユーザ操作が行われること自体を抑制することが可能である。
【００３８】
また特に、請求項７および請求項２２に記載の発明によれば、消灯期間にて操作パネルにおいて受け付けられた操作入力情報が無効され、当該消灯期間内の操作入力情報は第１のデバイスと第２のデバイスとのいずれのデバイスにも送出されない。消灯期間内に入力された操作入力情報は、第１のデバイスと第２のデバイスとのいずれのデバイスにとっても無意味な操作入力情報である可能性が高く、そのような操作入力情報がいずれかのデバイスに送出されることを回避することが可能である。
【００３９】
また特に、請求項８および請求項２３に記載の発明によれば、切替要求の受付時点で一連の操作入力が行われている場合には、当該一連の操作入力が完了するまでは操作パネルに関する操作入力情報の送出先デバイスが変更されないので、当該一連の操作に関する操作入力情報が、本来の送出先デバイスである切替前の送出先デバイスに向けて確実に送出され得る。
【図面の簡単な説明】
【００４０】
【図１】ＭＦＰの外観を示す図である。
【図２】ＭＦＰの概略構成を示す図である。
【図３】画像形成デバイスの機能ブロックを示す図である。
【図４】サーバデバイスの機能ブロックを示す図である。
【図５】トップメニュー画面を示す図である。
【図６】サーバデバイスの管理対象機能の設定画面を示す図である。
【図７】画像形成デバイスの管理対象機能の設定画面を示す図である。
【図８】パネル制御部の動作を示すフローチャートである。
【図９】パネル制御部の動作を示すフローチャートである。
【図１０】第１実施形態に係る切替動作を示すタイミングチャートである。
【図１１】サーバデバイスが利用デバイスである場合の動作図である。
【図１２】切替要求が通知されている様子を示す図である。
【図１３】画像形成デバイスが利用デバイスである場合の動作図である。
【図１４】逆向きの切替要求が通知されている様子を示す図である。
【図１５】表示遅延等に起因する問題点を示す図である。
【図１６】表示遅延等に起因する問題点を示す図である。
【図１７】第２実施形態に係る動作を示すタイミングチャートである。
【図１８】第２実施形態に係るパネル制御部の動作を示すフローチャートである。
【図１９】第３実施形態に係る動作を示すタイミングチャートである。
【図２０】第３実施形態に係るパネル制御部の動作を示すフローチャートである。
【図２１】第４実施形態に係る動作を示すタイミングチャートである。
【図２２】第４実施形態に係るパネル制御部の動作を示すフローチャートである。
【図２３】第５実施形態に係る動作を示すタイミングチャートである。
【図２４】第６実施形態に係る動作を示すタイミングチャートである。
【図２５】第６実施形態に係るパネル制御部の動作を示すフローチャートである。
【発明を実施するための形態】
【００４１】
以下、本発明の実施形態を図面に基づいて説明する。
【００４２】
＜１．第１実施形態＞
＜１−１．構成概要＞
図１は、ＭＦＰ（マルチ・ファンクション・ペリフェラル（Multi-Functional Peripheral））１０の外観を示す図である。ここでは、画像処理装置として、ＭＦＰ１０を例示する。なお、ＭＦＰ１０は、画像形成装置などとも称される。
【００４３】
図２は、ＭＦＰ１０の概略構成を示す図である。
【００４４】
このＭＦＰ１０は、互いに独立して動作する複数のデバイス（ここではサーバデバイス２０と画像形成デバイス３０との２つのデバイス）を備える。ここでは、サーバデバイス２０と画像形成デバイス３０とは、一の筐体に収容され、一体的に構成されている。なお、当該一の筐体には、所定の部材と当該所定の部材に対して開閉自在に設けられた部材（たとえば、ＭＦＰ１０の原稿台に設けられた回転軸に対して回動自在に設けられた原稿カバー等）とが含まれるものとする。
【００４５】
また、このＭＦＰ１０は、操作表示部４０（後述）をも備える。当該操作表示部４０は、後述するように、当該複数のデバイス２０，３０によって共用される。
【００４６】
＜１−２．画像形成デバイス３０の構成＞
画像形成デバイス３０（図１も参照）は、各種のジョブ（コピージョブ、スキャンジョブ等）を実行することが可能なデバイスである。なお、画像形成デバイス３０は、ＭＦＰデバイスとも称される。
【００４７】
図３は、画像形成デバイス３０の機能ブロックを示す図である。画像形成デバイス３０は、管理対象機能（コピー機能、スキャン機能、ファクシミリ機能およびボックス機能等）を管理している。具体的には、画像形成デバイス３０は、図３に示すように、画像読取部３２、印刷出力部３３、通信部３４、格納部３５およびコントローラ（制御部）３９等を備えており、これらの各部を複合的に動作させることによって、各種の機能（管理対象機能）を実現する。
【００４８】
画像読取部３２は、画像形成デバイス３０の所定の位置（自動原稿供給部（ＡＤＦ：Auto Document Feeder）あるいはガラス面等）に載置された原稿を光学的に読み取って（すなわちスキャンして）、当該原稿の画像データ（原稿画像あるいはスキャン画像とも称する）を生成する処理部である。この画像読取部３２は、スキャン部などとも称される。画像形成デバイス３０は、所定の位置に載置された原稿を読み取ることが可能なデバイスであり、画像読取デバイスとも称される。
【００４９】
印刷出力部３３は、印刷対象に関するデータに基づいて紙などの各種の媒体に画像を印刷出力する出力部である。画像形成デバイス３０は、各種の媒体に画像を印刷出力することが可能なデバイスであり、印刷出力デバイスとも称される。
【００５０】
通信部３４は、公衆回線等を介したファクシミリ通信を行うことが可能な処理部である。さらに、通信部３４は、ネットワークを介したネットワーク通信を行うことも可能である。このネットワーク通信では、たとえば、ＴＣＰ／ＩＰ（Transmission Control Protocol / Internet Protocol）等の各種のプロトコルが利用される。当該ネットワーク通信を利用することによって、画像形成デバイス３０は、所望の相手先との間で各種のデータを授受することが可能である。
【００５１】
格納部３５は、各種の記憶装置（（揮発性および／または不揮発性の）半導体メモリおよび／またはハードディスクドライブ（ＨＤＤ）等）で構成される。
【００５２】
コントローラ３９は、画像形成デバイス３０に内蔵され、画像形成デバイス３０を統括的に制御する制御装置である。コントローラ３９は、ＣＰＵおよび各種の半導体メモリ（ＲＡＭおよびＲＯＭ）等を備えるコンピュータシステムとして構成される。コントローラ３９は、ＣＰＵにおいて、ＲＯＭ（例えば、ＥＥＰＲＯＭ（登録商標））内に格納されている所定のソフトウエアプログラム（以下、単にプログラムとも称する）を実行することによって、各種の処理部を実現する。なお、当該プログラム（詳細にはプログラムモジュール群）は、ＵＳＢメモリなどの可搬性の記録媒体に記録され、当該記録媒体から読み出されて画像形成デバイス３０にインストールされるようにしてもよい。あるいは、当該プログラムは、ネットワークを経由してダウンロードされて画像形成デバイス３０にインストールされるようにしてもよい。
【００５３】
具体的には、図３に示されるように、コントローラ３９は、上記のプログラムの実行により、通信制御部３９ａと入出力制御部３９ｂとを含む各種の処理部を実現する。
【００５４】
通信制御部３９ａは、通信部３４等と協働して他のデバイス（同一筐体（同一装置）内の他のデバイス（サーバデバイス２０等）、および別の筐体内にて構成される他の装置内のデバイスを含む）との間の通信動作を制御する処理部である。
【００５５】
入出力制御部３９ｂは、操作表示部４０（図１）と協働して、操作表示部４０（特にタッチパネル４５）に対する入力動作（操作入力を受け付ける動作）を制御するとともに、操作表示部４０（特にタッチパネル４５）における表示動作（表示出力動作）を制御する処理部である。たとえば、入出力制御部３９ｂは、画像形成デバイス３０の管理対象機能に関する情報等を操作表示部４０（タッチパネル４５）に表示させるとともに、操作表示部４０に対するユーザ操作に関する操作入力情報（タッチ情報等）を当該操作表示部４０から取得する。
【００５６】
＜１−３．サーバデバイス２０の構成＞
サーバデバイス２０（図１も参照）は、サーバ機能を実現することが可能なデバイスである。サーバデバイス２０は、たとえば汎用的なコンピュータ装置として構成される。
【００５７】
図４は、サーバデバイス２０の機能ブロックを示す図である。
【００５８】
サーバデバイス２０は、図４の機能ブロック図に示すように、通信部２４、格納部２５、コントローラ（制御部）２９等を備えており、これらの各部を複合的に動作させることによって、各種の機能を実現する。
【００５９】
通信部２４は、ネットワーク通信を行うことが可能である。このネットワーク通信では、たとえば、ＴＣＰ／ＩＰ（Transmission Control Protocol / Internet Protocol）等の各種のプロトコルが利用される。当該ネットワーク通信を利用することによって、サーバデバイス２０は、所望の相手先と連携して各種のデータを授受することが可能である。
【００６０】
格納部２５は、各種の記憶装置（（揮発性および／または不揮発性の）半導体メモリおよび／またはハードディスクドライブ（ＨＤＤ）等）で構成される。
【００６１】
コントローラ（制御部）２９は、サーバデバイス２０に内蔵され、サーバデバイス２０を統括的に制御する制御装置である。コントローラ２９は、ＣＰＵおよび各種の半導体メモリ（ＲＡＭおよびＲＯＭ）等を備えるコンピュータシステムとして構成される。コントローラ２９は、ＣＰＵにおいて、記憶部（半導体メモリ等）内に格納されている所定のプログラムを実行することによって、各種の処理部を実現する。なお、当該プログラム（詳細にはプログラムモジュール群）は、ＵＳＢメモリなどの可搬性の記録媒体に記録され、当該記録媒体から読み出されてサーバデバイス２０にインストールされるようにしてもよい。あるいは、当該プログラムは、ネットワークを経由してダウンロードされてサーバデバイス２０にインストールされるようにしてもよい。
【００６２】
具体的には、コントローラ２９は、当該プログラム等の実行により、通信制御部２９ａと入出力制御部２９ｂとを含む各種の処理部を実現する。
【００６３】
通信制御部２９ａは、通信部２４等と協働して他のデバイス（同一筐体（同一装置）内の他のデバイス（画像形成デバイス３０等）、および別の筐体内にて構成される他の装置内のデバイスを含む）との間の通信動作を制御する処理部である。
【００６４】
入出力制御部２９ｂは、操作表示部４０と協働して、操作表示部４０（特にタッチパネル４５）に対する入力動作を制御するとともに、操作表示部４０（特にタッチパネル４５）における表示動作を制御する処理部である。たとえば、入出力制御部２９ｂは、サーバデバイス２０の管理対象機能に関する情報等を操作表示部４０（タッチパネル４５）に表示させるとともに、操作表示部４０（タッチパネル４５）に対するユーザ操作に関する操作入力情報を当該操作表示部４０から取得する。
【００６５】
また、サーバデバイス２０は、管理対象機能（電子メール機能、データ保存機能、形式変換機能（ファイル形式変換機能）および画像編集機能等）を管理している。具体的には、サーバデバイス２０には、各種の機能（管理対象機能）を実現するためのアプリケーション（アプリケーションソフトウエアプログラム）が予めインストールされており、サーバデバイス２０は、各アプリケーションを用いて各種の機能（管理対象機能）を実現する。
【００６６】
ここでは、サーバデバイス２０には、電子メールアプリケーション、データ保存アプリケーション、形式変換アプリケーションおよび画像編集アプリケーション等が予めインストールされている。
【００６７】
電子メールアプリケーションは、他の装置との間で電子メールの送受信を実行することが可能なアプリケーションであり、サーバデバイス２０は、当該電子メールアプリケーションを実行することによって電子メール機能を実現する。
【００６８】
データ保存アプリケーションは、サーバデバイス２０内に各種データを保存することが可能なアプリケーションであり、サーバデバイス２０は、当該データ保存アプリケーションを実行することによってデータ保存機能を実現する。
【００６９】
形式変換アプリケーションは、指定されたファイルのファイル形式を他のファイル形式に変換することが可能なアプリケーションであり、サーバデバイス２０は、当該形式変換アプリケーションを実行することによって形式変換機能を実現する。
【００７０】
画像編集アプリケーションは、指定された画像データの編集処理を実行することが可能なアプリケーションであり、サーバデバイス２０は、当該画像編集アプリケーションを実行することによって画像編集機能を実現する。
【００７１】
＜１−４．操作表示部４０の構成＞
このＭＦＰ１０においては、略板状の操作表示部４０（図１参照）が設けられている。操作表示部４０は、その正面側にタッチパネル４５（図１参照）を有している。タッチパネル（操作パネルとも称する）４５は、液晶表示パネルに各種センサ等が埋め込まれて構成され、各種情報を表示するとともに操作者からの各種の操作入力を受け付けることが可能である。タッチパネル４５は、タッチパネル４５に対するユーザの操作入力を受け付ける操作入力部としても機能するとともに、各種情報を表示する表示部としても機能する。
【００７２】
操作表示部４０（特にタッチパネル４５）は、複数のデバイス（ここではサーバデバイス２０と画像形成デバイス３０との２つのデバイス）によって共用される。
【００７３】
また、操作表示部４０は、図２に示すように、タッチパネル４５に加えてパネル制御部４１をも備えている。パネル制御部４１は、タッチパネル４５に関する動作を制御する処理部である。また、パネル制御部４１は、複数のデバイス（ここではサーバデバイス２０および画像形成デバイス３０）のうち、操作表示部４０を利用するデバイス（利用デバイス）を選択する（切り替える）処理等を実行する処理部である。タッチパネル４５においては、複数のデバイスのうち利用デバイスに関する表示出力が行われる。また、ユーザによるタッチパネル４５に対する操作入力（操作入力情報）は、利用デバイスに対して出力され、当該利用デバイスで利用される。
【００７４】
パネル制御部４１は、ＣＰＵ（Central Processing Unit）（マイクロプロセッサあるいはコンピュータプロセッサなどとも称される）および各種の半導体メモリ（ＲＡＭおよびＲＯＭ）等を備えるコンピュータシステムとして構成される。パネル制御部４１は、ＣＰＵにおいて、記憶部（半導体メモリ等）内に格納されている所定のプログラムを実行することによって、操作表示部４０（タッチパネル４５等）に関する各種の動作を制御するコントローラである。なお、当該プログラム（詳細にはプログラムモジュール群）は、ＵＳＢメモリなどの可搬性の記録媒体に記録され、当該記録媒体から読み出されて操作表示部４０にインストールされるようにしてもよい。あるいは、当該プログラムは、ネットワークを経由してダウンロードされて操作表示部４０にインストールされるようにしてもよい。
【００７５】
具体的には、パネル制御部４１（図２参照）は、当該プログラム等の実行により、表示制御部４２とタッチ情報制御部４３と切替要求取得部４４とを含む各種の処理部を実現する。
【００７６】
表示制御部４２は、タッチパネル４５の表示出力を制御する処理部である。
【００７７】
タッチ情報制御部４３は、タッチパネル４５に対するユーザからの操作入力を受け付ける入力処理等を制御する処理部である。
【００７８】
切替要求取得部４４は、サーバデバイス２０および／または画像形成デバイス３０からのデバイス切替要求（単に切替要求とも称する）を受信して取得する処理部である。当該切替要求は、操作表示部４０の利用デバイスを切り替えるべき（変更すべき）旨の切替要求（変更要求）である。当該切替要求は、操作入力情報の送出先のデバイス（送出先デバイスとも称する）を切り替えるべき旨の切替要求、あるいは、表示情報の送出元のデバイス（送出元デバイスとも称する）を切り替えるべき旨の切替要求などとも表現される。
【００７９】
当該切替要求は、各デバイス２０，３０から操作表示部４０に向けて送信され得る。具体的には、サーバデバイス２０と操作表示部４０とを接続する通信線５５を介してサーバデバイス２０から、あるいは、画像形成デバイス３０と操作表示部４０とを接続する通信線５６を介して画像形成デバイス３０から、操作表示部４０へと送信される。
【００８０】
操作表示部４０は、表示用インターフェイス（詳細には、インターフェイスケーブルおよび接続端子）５１を介してサーバデバイス２０と接続されており、表示用インターフェイス５２を介して画像形成デバイス３０と接続されている。これらの表示用インターフェイス５１，５２は、互いに同じ規格（たとえば、VGA規格、DVI規格、HDMI（登録商標）規格、DisplayPort規格のいずれか）のインターフェイスである。
【００８１】
パネル制御部４１は、切替要求取得部４４を用いてデバイス切替要求（単に切替要求とも称する）を受け付けた場合、表示制御部４２を用いて、タッチパネル４５に関する表示用データの送出元のデバイスを変更する。具体的には、デバイス切替要求が切替要求取得部４４によって受信される場合、表示制御部４２は、現在の利用デバイスである一方のデバイス（たとえばサーバデバイス２０）から他方のデバイス（画像形成デバイス３０）へと送出元デバイスを変更する。これにより、タッチパネル４５に関する表示情報（表示内容を示すデータ）が変更後の送出元デバイス（切替後デバイスとも称する）から操作表示部４０に対して送信（送出）される。
【００８２】
このように、タッチパネル４５にて表示される表示内容が、２つのデバイス２０，３０の中から選択された一のデバイスから、当該一のデバイスに対応するインターフェイス（５１あるいは５２）（ただし、いずれも同じ規格のインターフェイス）を介して操作表示部４０へと送信され、当該操作表示部４０にて受信される（受け付けられる）。
【００８３】
また、操作表示部４０は、操作入力情報用のインターフェイス（詳細には、インターフェイスケーブルおよび接続端子）５３を介してサーバデバイス２０と接続されている。換言すれば、タッチパネル４５に関する操作入力情報（タッチパネル４５への指操作等によるタッチ情報等）は、インターフェイス５３を利用してサーバデバイス２０に送出することが可能である。
【００８４】
また、操作表示部４０は、操作入力情報用のインターフェイス５４を介して画像形成デバイス３０と接続されている。換言すれば、タッチパネル４５に関する操作入力情報は、インターフェイス５４を利用して画像形成デバイス３０に送出することが可能である。
【００８５】
インターフェイス５３，５４は、互いに異なる種類のインターフェイス（詳細には、互いに異なる規格に準拠するインターフェイス）である。
【００８６】
サーバデバイス２０と操作表示部４０とを接続するインターフェイス５３は、比較的汎用的なインターフェイス（ここではＵＳＢ（Universal Serial Bus）規格のインターフェイス）である。
【００８７】
一方、画像形成デバイス３０と操作表示部４０とを接続するインターフェイス５４は、比較的非汎用的なインターフェイス（ここでは、Ｉ２Ｃ（Inter-Integrated Circuit）規格のインターフェイス）である。当該インターフェイス５４は、組込デバイス等で利用されることが多いインターフェイスである。なお、これに限定されず、Ｉ２Ｃに代えて、ＵＡＲＴ（Universal Asynchronous Receiver Transmitter）などのインターフェイス（他の種類の比較的非汎用的なインターフェイス）が用いられてもよい。
【００８８】
また、パネル制御部４１は、上述の切替要求を受け付けた場合、タッチパネル４５に関する操作入力情報（タッチ情報等）の送出先のデバイスをも変更する。換言すれば、操作入力情報の授受に関しては、これら２種類のインターフェイスが動的に切り替えて利用される。
【００８９】
具体的には、デバイス切替要求が切替要求取得部４４によって受信される場合、タッチ情報制御部４３は、現在の利用デバイスである一方のデバイス（たとえばサーバデバイス２０）から他方のデバイス（画像形成デバイス３０）へと送出先デバイスを変更する。これにより、変更後の送出先デバイスに対応する変更後のインターフェイス（たとえば、インターフェイス（Ｉ２Ｃ規格のインターフェイス）５４）が利用されて、タッチパネル４５に関する操作入力情報が変更後の送出先デバイス（たとえば画像形成デバイス３０）に対して送出される。
【００９０】
より具体的には、操作表示部４０とサーバデバイス２０との通信には、比較的高速な通信レート（たとえば、４８０Ｍｂｐｓ（メガビット毎秒））を有するインターフェイス（ＵＳＢインターフェイス）が利用される。また、操作表示部４０と画像形成デバイス３０との通信には、比較的低速な通信レート（たとえば、４００Ｋｂｐｓ（キロビット毎秒））を有するインターフェイス（Ｉ２Ｃインターフェイス）が利用される。
【００９１】
なお、画像形成デバイス３０用のインターフェイスとして、サーバデバイス２０用のインターフェイスと同一の規格のインターフェイス（ＵＳＢインターフェイス等）を利用することも考えられる。しかしながら、画像形成デバイス３０向けのインターフェイスを組込デバイス用の従来のインターフェイス（Ｉ２Ｃインターフェイス等）から、比較的汎用的なインターフェイス（ＵＳＢインターフェイス等）に変更するためには、画像形成デバイス３０用のソフトウエアを再構築しなければならず、大きな労力および高いコストを要する。したがって、画像形成デバイス３０向けのインターフェイスをサーバデバイス２０用のＵＳＢインターフェイスに変更することは、望ましくない。これに対して、本実施形態によれば、２つのデバイス２０，３０のそれぞれに応じた種類のインターフェイス（たとえば、ＵＳＢインターフェイスおよびＩ２Ｃインターフェイス）が動的に切り替えられつつ利用されるので、非常に有用である。
【００９２】
＜１−５．画面遷移＞
このＭＦＰ１０においては、たとえば図５〜図７のような画面が表示される。
【００９３】
図５は、トップメニュー画面２１０を示す図である。たとえば、この実施形態では、ＭＦＰ１０の初期状態において、２つのデバイスのうち（画像形成デバイス３０ではなく）サーバデバイス２０が主デバイスとして機能し、サーバデバイス２０の管理下において操作表示部４０のタッチパネル４５にてトップメニュー画面２１０（図５参照）が表示される。
【００９４】
トップメニュー画面２１０においては、図５に示されるように、サーバデバイス２０の管理対象機能の設定画面に遷移するためのボタン２１１と画像形成デバイス３０の管理対象機能の設定画面に遷移するためのボタン２１２とが表示される。
【００９５】
ユーザが、これらの２つのボタン２１１，２１２のうちの所望のボタンを押下（選択）すると、画面遷移が発生する。
【００９６】
たとえば、トップメニュー画面２１０にてボタン２１１（図５）が押下されると、サーバデバイス２０の管理対象機能の設定画面２２０（図６）が表示される。設定画面２２０は、サーバデバイス２０の管理対象機能に関する設定画面（トップメニュー画面）である。設定画面２２０には、図６に示されるように、４つのボタン２２１〜２２４等が表示される。ボタン２２１は、電子メール機能に関する詳細設定画面に遷移するためのボタンであり、ボタン２２２は、データ保存機能に関する詳細設定画面に遷移するためのボタンである。また、ボタン２２３は、ファイル形式変換機能に関する詳細設定画面に遷移するためのボタンであり、ボタン２２４は、画像編集機能に関する詳細設定画面に遷移するためのボタンである。設定画面２２０は、さらに下位階層のサブメニュー画面（詳細設定画面）を有しており、設定画面２２０内のボタン２２１〜２２４のいずれかが押下されると、押下されたボタンに対応する詳細設定画面に遷移する。
【００９７】
あるいは、トップメニュー画面２１０にてボタン２１２（図５）が押下されると、画像形成デバイス３０の管理対象機能の設定画面２３０（図７）が表示される。設定画面２３０は、画像形成デバイス３０の管理対象機能に関する設定画面（トップメニュー画面）である。設定画面２３０には、図７に示されるように、４つのボタン２３１〜２３４等が表示される。ボタン２３１は、コピー機能に関する詳細設定画面に遷移するためのボタンであり、ボタン２３２は、スキャン機能に関する詳細設定画面に遷移するためのボタンである。また、ボタン２３３は、ファクシミリ機能に関する詳細設定画面に遷移するためのボタンであり、ボタン２３４は、ボックス機能に関する詳細設定画面に遷移するためのボタンである。設定画面２３０は、さらに下位階層のサブメニュー画面（詳細設定画面）を有しており、設定画面２３０内のボタン２３１〜２３４のいずれかが押下されると、押下されたボタンに対応する詳細設定画面に遷移する。
【００９８】
ここにおいて、画面２１０内のボタン２１２（図５）の押下に応答して、サーバデバイス２０は、操作表示部４０の利用デバイスをサーバデバイス２０から画像形成デバイス３０へと切り替えるべき（変更すべき）旨の切替要求（変更要求）を、画像形成デバイス３０と操作表示部４０とに対して送信する。操作表示部４０は、後述するようにデバイス切替処理を行い、画像形成デバイス３０は、デバイス切替後に操作表示部４０にて表示すべき画面（たとえば画面２３０）の表示用データを生成し、当該表示用データを操作表示部４０に送信する。操作表示部４０は、画像形成デバイス３０から受信した当該表示用データに基づいて表示画面（設定画面２３０等）を表示する。
【００９９】
また、設定画面２２０は、ボタン２２９を有している。ボタン２２９は、画像形成デバイス機能に関する設定画面に遷移するためのボタンである。当該ボタン２２９が押下されると、設定画面２３０への画面遷移が発生する。
【０１００】
画面２２０内のボタン２２９（図６）が押下された場合にも、サーバデバイス２０は、同様の切替要求（変更要求）を画像形成デバイス３０と操作表示部４０とに対して送信する。そして、表示画面の遷移動作が行われる。
【０１０１】
このように、画面２１０内のボタン２１２（図５）、あるいは画面２２０内のボタン２２９（図６）の押下に応じて、利用デバイスの切替要求（サーバデバイス２０から画像形成デバイス３０へと切り替えるべき旨の切替要求）が発生する。そして、操作表示部４０における利用デバイスが、サーバデバイス２０から画像形成デバイス３０へと切り替えられる。
【０１０２】
また、設定画面２３０は、ボタン２３９を有している。ボタン２３９は、サーバデバイス機能に関する設定画面に遷移するためのボタンである。当該ボタン２３９が押下されると、設定画面２２０への画面遷移が発生する。
【０１０３】
画面２３０内のボタン２３９（図７）がユーザによって押下される場合には、当該押下操作に応答して、画像形成デバイス３０は、操作表示部４０の利用デバイスを画像形成デバイス３０からサーバデバイス２０へと切り替えるべき（変更すべき）旨の切替要求（変更要求）を、サーバデバイス２０と操作表示部４０とに対して送信する。操作表示部４０は、後述するようにデバイス切替処理を行い、サーバデバイス２０は、デバイス切替後に操作表示部４０にて表示すべき画面（たとえば画面２２０）の表示用データを生成し、当該表示用データを操作表示部４０に送信する。操作表示部４０は、サーバデバイス２０から受信した当該表示用データに基づいて表示画面（設定画面２２０等）を表示する。また、当該切替要求に基づいて、タッチパネル４５に関する操作入力情報の送出先デバイスも変更される。具体的には、操作入力情報の送出先デバイスは、サーバデバイス２０（切替前デバイス）から画像形成デバイス３０（切替後デバイス）へと変更される。なお、当該切替要求は、タッチパネル４５に関する操作入力情報の送出先デバイスを切替前デバイスから切替後デバイスへと変更すべき旨の切替要求であるとも表現される。
【０１０４】
このように、画面２３０内のボタン２３９（図７）の押下に応じて、利用デバイスの切替要求（画像形成デバイス３０からサーバデバイス２０へと切り替えるべき旨の切替要求）が発生する。
【０１０５】
このように、操作表示部４０は、ユーザによって選択されたボタンに対応する機能を管理するデバイス（管理デバイス）と連携して、当該機能に関する表示をタッチパネル４５にて行う。換言すれば、複数のデバイス２０，３０の中から択一的に選択されたデバイスに関する表示がタッチパネル４５にて行われる。また、表示内容に関する送出元デバイスの変更に伴って、タッチパネル４５に関する操作入力情報の送出先デバイスも変更される。
【０１０６】
＜１−６．動作＞
図８および図９は、操作表示部４０（詳細には、パネル制御部４１）の動作を示すフローチャートである。
【０１０７】
上述のようなユーザ操作等に応じてサーバデバイス２０あるいは画像形成デバイス３０にて切替要求が発生すると、当該切替要求がその送出元デバイス（サーバデバイス２０あるいは画像形成デバイス３０）から（通信線（信号線とも称する）５５あるいは通信線５６を介して）操作表示部４０に送出（送信）される。また、当該切替要求は、（通信線５７等を介して）その送出元デバイスから切替後のデバイスへも送信される。
【０１０８】
ステップＳ１１（図８）の待機ループにおいて切替要求（現在利用中のデバイスとは異なるデバイスを利用すべき旨の切替要求）が受信されると、ステップＳ１２に進む。
【０１０９】
なお、以下では、通信線５５を介してサーバデバイス２０からの切替要求が受信される場合（サーバデバイス２０から画像形成デバイス３０への切替が行われる場合）を主に想定して説明を続ける。ただし、これに限定されず、逆向きの切替（画像形成デバイス３０からサーバデバイス２０への切替）が行われてもよい。その場合には、逆向きの変更処理等が行われればよい。
【０１１０】
ステップＳ１２では、表示用インターフェイスの切替処理が実行される。詳細には、サーバデバイス２０用の表示用インターフェイス５１から画像形成デバイス３０用のインターフェイス５２への切替処理が実行される。具体的には、パネル制御部４１は、インターフェイス５１（詳細には、インターフェイス５１用のポート）を無効化し、インターフェイス５２（詳細には、インターフェイス５２用のポート）を有効化する。パネル制御部４１（表示制御部４２）は、有効化されたインターフェイス５２を介して送信されてきた画像データを受信し、当該画像データに基づく画像をタッチパネル４５に表示する。これにより、画像形成デバイス３０から送信されてきた画像形成デバイス３０用の画面（設定画面２３０等）がタッチパネル４５に表示される。
【０１１１】
また、ステップＳ２０では、操作入力情報用インターフェイスの切替処理が実行される。詳細には、ステップＳ２１〜Ｓ２４の処理が実行される（図９参照）。
【０１１２】
ステップＳ２１では、有効なポートが変更される。具体的には、パネル制御部４１は、サーバデバイス２０向けのインターフェイス５３（ＵＳＢインターフェイス）用のポートを無効化し、画像形成デバイス３０向けのインターフェイス５４（Ｉ２Ｃインターフェイス）用のポートを有効化する。
【０１１３】
また、パネル制御部４１は、ポート情報以外の各種の情報をも変更する。
【０１１４】
詳細には、ステップＳ２２において、通信レート（データ転送速度）が変更される。具体的には、操作表示部４０の通信レートが、サーバデバイス２０用の比較的高速な通信レート（たとえば、４８０Ｍｂｐｓ（メガビット毎秒））から、画像形成デバイス３０用の比較的低速な通信レート（たとえば、４００Ｋｂｐｓ（キロビット毎秒））へと変更される。
【０１１５】
また、ステップＳ２３，Ｓ２４においては、パネル制御部４１は、タッチパネル４５の操作入力情報の検出動作に関する設定をも変更する。これにより、切替後のデバイス（ここでは画像形成デバイス３０）に適した内容が設定される。
【０１１６】
ステップＳ２３においては、タッチパネル４５における同時に識別可能な指の本数（タッチ指本数）が変更される。具体的には、操作表示部４０が出力可能なタッチ指本数が、サーバデバイス２０用の比較的多数のタッチ指本数（たとえば、１０本）から、画像形成デバイス３０用の比較的少数のタッチ指本数（たとえば、２本）へと変更される。ここでは、タッチパネル４５にて同時に識別可能な指の最大本数は、「１０」本であるとする。比較的汎用的なデバイスであるサーバデバイス２０においては、同時に識別可能な指の本数として要求される指本数（要求指本数）は、比較的多数であり、ここでは上述の最大本数「１０」本に等しいとする。一方、画像形成デバイス３０における要求指本数（同時に識別可能な指の本数として要求される指本数）（ここでは、２本）は、サーバデバイス２０における要求指本数（ここでは、１０本）よりも少ない。
【０１１７】
ステップＳ２４においては、タッチパネル４５における指操作検知のためのサンプリング周波数が変更される。具体的には、サーバデバイス２０用の比較的大きな（高い）サンプリング周波数（たとえば、３００ＫＨｚ（キロヘルツ））から、画像形成デバイス３０用の比較的小さな（低い）サンプリング周波数（たとえば、１００ＫＨｚ（キロヘルツ））へと変更される。
【０１１８】
このようにしてタッチパネル４５（操作パネル）に関する操作入力情報の送出先のデバイスが切り替えられる（変更される）。
【０１１９】
このような切替処理が終了すると、タッチパネル４５にて検出された操作入力情報（タッチ情報等）が、操作表示部４０から切替後（変更後）のデバイスに対して出力される。具体的には、パネル制御部４１（タッチ情報制御部４３）は、タッチパネル４５にてセンシングされたユーザ操作情報を、変更後のインターフェイス５４（画像形成デバイス３０向けのインターフェイス５４）（Ｉ２Ｃインターフェイス）を介して画像形成デバイス３０に送信する。このようにして、ユーザの操作入力に関する情報が操作表示部４０から画像形成デバイス３０へと送信される。
【０１２０】
切替後においては、送出先デバイスへの操作入力情報の送出は、切替後のインターフェイス５４によって行われる。上述のように、切替後のインターフェイス５４のデータ転送速度は、切替前のインターフェイス５３のデータ転送速度よりも低速である。
【０１２１】
また、パネル制御部４１は、切替後においては、タッチパネル４５に関する指操作の制御を変更する。
【０１２２】
具体的には、パネル制御部４１は、タッチパネル４５における指操作検知のためのサンプリング周波数を、切替前の比較的大きな値（たとえば、３００ＫＨｚ（キロヘルツ））から切替後の比較的小さな値（たとえば、１００ＫＨｚ（キロヘルツ））へと変更する。
【０１２３】
また、パネル制御部４１は、タッチパネル４５において検知される指の本数を、切替前の比較的大きな値（たとえば、１０本）から切替後の比較的小さな値（たとえば、２本）へと変更する。
【０１２４】
詳細には、当該切替前（すなわち、サーバデバイス２０に対して操作入力情報が送出される場合）には、最大で１０本指のマルチタッチを検出可能なタッチパネル４５において検出されたタッチ情報のうち、最大で１０本の指による全てのタッチ情報（比較的多数の指に関する操作入力情報）がＵＳＢインターフェイス５３を介してサーバデバイス２０に送出される。
【０１２５】
一方、当該切替後（すなわち、画像形成デバイス３０に対して操作入力情報が送出される場合）には、最大で１０本指のマルチタッチを検出可能なタッチパネル４５において検出されたタッチ情報のうち、最初に検出された２本の指によるタッチ情報のみ（比較的少数の指に関する操作入力情報）がＩ２Ｃインターフェイス５４を介して画像形成デバイス３０に送出される。より詳細には、２本以上の指（たとえば８本）によるマルチタッチが検出されていたとしても、２本の指によるタッチ情報のみが画像形成デバイス３０に対して送出される。３本目以降（たとえば３本目から８本目まで）の指によるタッチ情報は、パネル制御部４１内部で破棄され、画像形成デバイス３０へは出力されない。
【０１２６】
このように比較的少数の指に関する操作入力情報がインターフェイス５４を介して送出され、データ転送量が抑制される。したがって、比較的低速なインターフェイス５４を介して操作表示部４０から画像形成デバイス３０へと多量の情報が送出されることを回避することが可能である。これにより、比較的低速なインターフェイス５４を使用する場合であっても、タッチ操作の反応速度の劣化を回避することが可能である。
【０１２７】
図１０は、このような切替動作を示すタイミングチャートである。図１０に示すように、期間Ｄ１においては、操作表示部４０における表示情報の送出元デバイスと操作入力情報の送出先デバイスとは、いずれもサーバデバイス２０である。この状態においては、図１１に示すように、タッチパネル４５での表示用データは、インターフェイス５１を介してサーバデバイス２０から操作表示部４０へと送信される。また、タッチパネル４５で検出された操作入力情報は、インターフェイス５３（ＵＳＢインターフェイス）を介して操作表示部４０からサーバデバイス２０へと送信される。
【０１２８】
そして、ステップＳ１１（詳細には、期間Ｄ２内の時刻Ｔ１）にて、サーバデバイス２０は、切替要求を操作表示部４０と画像形成デバイス３０とに向けて送信する（図１２も参照）。当該切替要求が操作表示部４０によって受信されると、ステップＳ１２において、操作表示部４０（パネル制御部４１）は、当該切替要求に応答して、表示用インターフェイスをサーバデバイス２０用のインターフェイス５１から画像形成デバイス３０用のインターフェイス５２へ切り替える（期間Ｄ３内の時刻Ｔ２）。さらに、ステップＳ２０において、パネル制御部４１は、当該切替要求に応答して、操作入力情報用のインターフェイスをも切り替える。具体的には、操作入力情報用のインターフェイスは、サーバデバイス２０用のインターフェイス５３から画像形成デバイス３０用のインターフェイス５４へと切り替えられる（時刻Ｔ２）。ここでは、ステップＳ１２とステップＳ２０とはほぼ同時（いずれもほぼ同じ時刻Ｔ２）に実行されるものとする。
【０１２９】
その後、期間Ｄ９においては、画像形成デバイス（ＭＦＰデバイス）３０からの画像（サーバデバイス２０から切替要求を受信した画像形成デバイス３０によって生成された画像）がタッチパネル４５に表示され、タッチパネル４５で検出された操作入力情報が画像形成デバイス３０に対して送出される。より具体的には、図１３に示すように、タッチパネル４５での表示用データは、インターフェイス５２を介して画像形成デバイス３０から操作表示部４０へと送信される。また、タッチパネル４５で検出されたタッチ情報（タッチ指の本数および各タッチ指のタッチ位置等）は、インターフェイス５４（Ｉ２Ｃインターフェイス）を介して操作表示部４０から画像形成デバイス３０へと送信される。
【０１３０】
以上のような動作によれば、操作表示部４０における表示情報の送出元デバイスと操作入力情報の送出先デバイスとのいずれもが、サーバデバイス２０から画像形成デバイス３０へと適切に切り替えられる。
【０１３１】
特に、操作表示部４０からの操作入力情報の送出先デバイス等が、切替要求に応じて動的に変更される。具体的には、切替要求が受け付けられた場合、タッチパネル４５に関する表示内容（表示用データ）の送出元デバイスが変更されるとともに、タッチパネル４５に関する操作入力情報の送出先デバイスが変更される。特に、変更後の送出先デバイス（画像形成デバイス３０等）に対応する変更後のインターフェイス（Ｉ２Ｃインターフェイス５４等）を利用して、タッチパネル４５に関する操作入力情報が変更後の送出先デバイスに対して送出される。したがって、複数のデバイス２０，３０をＭＦＰ１０内に設け且つ当該複数のデバイス２０，３０で１つの操作表示部４０を共用する際に、当該操作表示部４０から各デバイス２０，３０へと操作入力情報を伝送するためのインターフェイス（５３，５４）の種類を共通化することを要しない。
【０１３２】
なお、逆に画像形成デバイス３０からサーバデバイス２０への切替要求が受信された場合には、逆向きの動作が行われればよい。これによれば、操作表示部４０における表示情報の送出元デバイスと操作入力情報の送出先デバイスが、いずれも画像形成デバイス３０からサーバデバイス２０へと切り替えられる。具体的には、図１３の状態から図１４の状態を経由して図１１の状態に遷移すればよい。図１４においては、画像形成デバイス３０が操作表示部４０とサーバデバイス２０とに対して切替要求（利用デバイスを画像形成デバイス３０からサーバデバイス２０へと切り替えるべき旨の切替要求）を送信している状況が示されている。
【０１３３】
＜２．第２実施形態＞
上記第１実施形態においては、図１０に示すように、切替要求に応答して操作表示部４０における表示情報の送出元デバイスの切替が直ちに行われ、当該切替後の送出元デバイス（たとえば画像形成デバイス）からの画像がタッチパネル４５に表示される場合について説明した。
【０１３４】
ただし、実際には、切替要求に応答して送出元デバイスの切替（ステップＳ１２）が直ちに行われたとしても、切替後のデバイス用の画像（切替後に表示すべき画像（更新後の画像））の画像データの生成処理には或る程度の時間を要する。そのため、タッチパネル４５での表示は直ちには更新されない。
【０１３５】
具体的には、切替後のデバイス（ここでは画像形成デバイス）３０は、切替要求を受け付けた時点から切替後の画像の画像データ（表示用データ）の生成を開始し、生成された表示用データを画像形成デバイス３０内の画像メモリに書き込む。当該表示用データの書込処理を含む生成処理には、或る程度の時間（たとえば、数百ミリ秒程度）を要する。そして、当該画像メモリへの書込処理を含む生成処理が完了した段階（表示用データの更新が完了した時点（更新完了時点）Ｔ３（図１５参照））以降において、更新後の表示用データが表示され得る。詳細には、更新後の表示用データが画像形成デバイス３０から操作表示部４０へと切替後の表示用インターフェイス５２を介して送信され、タッチパネル４５にて当該表示用データに基づく画面（更新後の画面）が表示される。なお、更新完了時点Ｔ３は、表示画像の更新データの生成完了時点であるとも表現される。
【０１３６】
このように、切替要求時点Ｔ１から更新完了時点Ｔ３（図１５参照）までの期間（表示遅延期間とも称する）において、更新後画像の表示に関する遅延が生じ得る。
【０１３７】
切替要求に応答して表示内容の送出元デバイスが画像形成デバイス３０に直ちに切り替えられる場合には、当該表示遅延期間内においては新たな表示用データ（更新後画面の表示用データ）の生成処理が未だ完了していない。そのため、切替後のデバイス３０に関する「更新後の画面」ではなく、切替後のデバイス３０に関する「更新前の画面」が表示されてしまう。たとえば、切替後のデバイス（画像形成デバイス）３０が以前に利用デバイスとして動作していた期間の最後にタッチパネル４５に表示されていた表示画面が、当該表示遅延期間においてタッチパネル４５に表示される。
【０１３８】
このような表示はユーザの混乱を招来するため、当該表示が行われることを回避することが好ましい。
【０１３９】
これに対して、図１５に示すように、時刻Ｔ１で切替要求が受信されたとしても、タッチパネル４５に関する表示内容の送出元のデバイスを、時刻Ｔ２では未だ変更せず（切り替えず）、更新表示完了時点Ｔ３で変更する（切り替える）技術が考えられる。具体的には、切替前のデバイス２０に対応する表示用インターフェイス５１から切替後のデバイス３０に対応する表示用インターフェイス５２への切替が、時点Ｔ３まで延期される。これによれば、時点Ｔ１から時点Ｔ３までは切替前のデバイス（サーバデバイス）２０の画面がタッチパネル４５に引き続き表示され、時点Ｔ３以後においては切替後のデバイス（画像形成デバイス）３０の画面（且つ更新後の画面）がタッチパネル４５に表示される。これによれば、表示遅延期間（時刻Ｔ１〜時刻Ｔ３）において画像形成デバイス３０の「更新前」の画面が表示されることが回避される。
【０１４０】
ただし、このような表示動作が行われる場合において、仮に第１実施形態と同様に時刻Ｔ２にて操作入力情報の送出先デバイスをサーバデバイス２０から画像形成デバイス３０に変更すると、次のような問題が生じ得る。
【０１４１】
上述のように、時刻Ｔ１から時刻Ｔ３までの期間においては、タッチパネル４５には、更新後の画面（画像形成デバイス３０用の画面）は未だ表示されず、切替前の画面（サーバデバイス２０用の画面（２２０等））が引き続き表示される（特に期間Ｄ４（図１５）参照）（図１６も参照）。
【０１４２】
一方、タッチパネル４５で検出されたタッチ情報等は、デバイス切替後（特に期間Ｄ４）において、インターフェイス５４を介してパネル制御部４１から画像形成デバイス３０（切替後のデバイス）へと送信される（図１６も参照）。すなわち、時刻Ｔ２〜時刻Ｔ３においては、当該タッチ情報等は、画像形成デバイス３０に送信される。
【０１４３】
しかしながら、画像形成デバイス３０は、このような状態において当該タッチ情報を操作表示部４０から受信しても、当該タッチ情報と表示情報との間の関連性を判定できない（表示画面内のいずれのボタンに対する操作であるか等を特定できない）、という問題が存在する。このように、新たな表示画面（新たな利用デバイス３０用の画面）の表示遅延に起因して、表示中画面の送出元デバイス（サーバデバイス２０）（元の利用デバイス）とタッチ情報等の送出先デバイス（画像形成デバイス３０）（新たな利用デバイス）とが合致しないことに起因する問題が生じ得る。
【０１４４】
なお、図１５および図１６は、第１実施形態に係る問題点を示す図である。図１５においては、期間Ｄ４にて、表示中画面の送出元デバイス（サーバデバイス２０）とタッチ情報等の送出先デバイス（画像形成デバイス３０（図では「ＭＦＰ」と表記））とが合致しないこと等が示されている。また、図１６は、時刻Ｔ２から時刻Ｔ３（図１５参照）の期間において、タッチパネル４５に対する操作入力情報が操作表示部４０から画像形成デバイス３０（切替後の利用デバイス）に送信される一方で、サーバデバイス２０（切替前の利用デバイス）用の画面２２０がタッチパネル４５に引き続き表示されている状態を示している。
【０１４５】
そこで、この第２実施形態では、このような問題を解消することが可能な技術について説明する。
【０１４６】
第２実施形態は、第１実施形態の変形例であり、以下では、第１実施形態との相違点を中心に説明する。
【０１４７】
第２実施形態では、パネル制御部４１は、切替要求の受付直後の時点Ｔ２から操作パネルに関する表示用データの更新完了時点（切替後デバイスによる表示用データの更新処理の完了時点）Ｔ３までの期間にてタッチパネル４５において受け付けられた操作入力情報を無効化し、当該期間内の操作入力情報をいずれのデバイス２０，３０にも送出しない（図１７等参照）。そして、パネル制御部４１は、更新完了時点Ｔ３以後にてタッチパネル４５において受け付けられた操作入力情報を変更後の送出先デバイス（切替後デバイス）（ここでは画像形成デバイス３０）に送出する。
【０１４８】
図１７は、第２実施形態に係る動作を示すタイミングチャートであり、図１８は、第２実施形態に係る動作（パネル制御部４１の動作）を示すフローチャートである。
【０１４９】
図１８に示されるように、ステップＳ１１までは、第１実施形態と同様の動作が実行される。具体的には、サーバデバイス２０は、操作表示部４０に対して切替要求（サーバデバイス２０から画像形成デバイス３０への切替要求）を送信する。パネル制御部４１は、ステップＳ１１（時刻Ｔ１）においてサーバデバイス２０からの当該切替要求を受信する。また、図１２に示すように、サーバデバイス２０は、切替後のデバイス（画像形成デバイス）３０にもサーバデバイス２０からの切替要求（表示用データの更新要求とも称される）を送信する。画像形成デバイス３０は、当該更新要求を受信すると、当該更新要求に応答して、表示用データの更新処理（画像形成デバイス３０内の画像メモリへの画像データの書込処理等）を開始する。
【０１５０】
なお、ステップＳ１２，Ｓ２０は、第１実施形態（図８参照）とは異なり、ステップＳ１３，Ｓ１４の次に実行される。
【０１５１】
ステップＳ１１の次のステップＳ１３においては、パネル制御部４１は、切替要求に応答して操作入力情報用のインターフェイス５３，５４の双方を一旦無効化する（時刻Ｔ２）。なお、この時点（時刻Ｔ２）では、画像形成デバイス３０は、画像形成デバイス３０内の画像メモリへの新たな画像データ（画像形成デバイス３０用の画面データ）（更新後の表示用データ）の書き込みを未だ完了していない。また、パネル制御部４１は、この時点Ｔ２（〜時点Ｔ３）では、未だ切替前のデバイス２０用のインターフェイス５１を表示用インターフェイスとして利用している。そのため、タッチパネル４５にはサーバデバイス２０用の画面が表示されたままである。
【０１５２】
そして、パネル制御部４１は、ステップＳ１４の待機ループにおいて、切替後のデバイス（画像形成デバイス３０）による表示用データの更新完了を待機する。
【０１５３】
なお、表示用データの更新完了は、たとえば時刻Ｔ１（切替要求受信時点）から所定時間ｔ０（図１５参照）が経過したことによって判定されればよい。当該所定時間ｔ０は、画面データの書き込み処理に要する時間として予め定められているものとする。あるいはこれに限定されず、表示用データの生成完了（更新完了通知信号）が画像形成デバイス３０から操作表示部４０へと通知（伝送）され、当該生成完了を受け付ける（受信する）ことに応じて、表示用データの更新完了が判定されるようにしてもよい。
【０１５４】
表示用データの更新が完了（詳細には、画像形成デバイス３０（切替後デバイス）側でのメモリへの書き込み処理等が完了）（時刻Ｔ３）すると、処理は、ステップＳ１４からステップＳ１２（図１８参照）に進む。
【０１５５】
ステップＳ１２，Ｓ２０では、第１実施形態と同様の動作が行われる。
【０１５６】
ステップＳ１２では、表示用インターフェイスの切替処理が実行される。詳細には、サーバデバイス２０用の表示用インターフェイス５１から画像形成デバイス３０用のインターフェイス５２への切替処理が実行される（時刻Ｔ３）。このような切替処理によって、時刻Ｔ３以後においては、タッチパネル４５には切替後のデバイス（ここでは画像形成デバイス３０）用の画面が表示される。
【０１５７】
また、ステップＳ２０およびその次のステップＳ１５では、操作入力情報用インターフェイスの切替処理が実行される（時刻Ｔ３）。詳細には、ステップＳ２０において、サーバデバイス２０用のＵＳＢインターフェイス５３から画像形成デバイス３０用のＩ２Ｃインターフェイス５４への切替処理（詳細には、各種の設定変更処理等）が実行される。また、ステップＳ１５では、ステップＳ１３にて無効化されていた全ての操作入力情報伝送用インターフェイスのうち、切替後のインターフェイス（ここではＩ２Ｃインターフェイス５４）のみが有効化される。このような切替処理によって、タッチパネル４５にて入力された操作入力情報は、切替後のデバイス（ここでは画像形成デバイス３０）へと伝送される。
【０１５８】
なお、ステップＳ１２，Ｓ２０，Ｓ１５は、ほぼ同じ時刻（ここでは、いずれも同じ時刻Ｔ３と表記）に実行される。
【０１５９】
以上のように、切替要求の受付直後の時点Ｔ２から表示用データの更新完了時点Ｔ３までの期間においては、タッチパネル４５において受け付けられた操作入力情報は無効化される。当該期間（無効期間）内の操作入力情報は複数のデバイス２０，３０のいずれにも送出されない。
【０１６０】
また、ステップＳ２０，Ｓ１５の処理によって、無効化されていた２つのインターフェイス５３，５４のうち切替後のインターフェイス（ここではＩ２Ｃインターフェイス５４）が有効化される。そして、タッチパネル４５にて受け付けられた操作入力情報（タッチ情報等）が、変更後の送出先デバイス（ここでは画像形成デバイス３０）に送出される。特に、表示用データの更新完了（時刻Ｔ３）に応答してタッチパネル４５による操作入力情報の受付が再開される。更新完了時点Ｔ３以後においては、タッチパネル４５において受け付けられた操作入力情報が変更後の送出先デバイス（画像形成デバイス３０）に送出される。
【０１６１】
このような処理によれば、図１７の期間Ｄ４を含む期間（時刻Ｔ２〜時刻Ｔ３）においては、操作入力情報用のインターフェイス５３，５４はいずれも無効化される。この無効化期間（Ｔ２〜Ｔ３）においては、操作表示部４０は、操作入力情報を何れのデバイスにも送出しない。そして、表示用データの更新が完了した時点Ｔ３において、操作入力情報用のインターフェイスが切替後のインターフェイスに変更される。具体的には、サーバデバイス２０用のインターフェイス５３から画像形成デバイス３０用のインターフェイス５４へと切り替えられる（時刻Ｔ３）。その後、期間Ｄ９においては、第１実施形態と同様の動作が実行される。
【０１６２】
これによれば、タッチパネル４５での操作入力情報（サーバデバイス２０向けの操作入力情報である可能性が高い情報）は、期間Ｄ４においては無効化され操作表示部４０から画像形成デバイス３０へと送信されない。したがって、画像形成デバイス３０にとって無意味な操作入力情報（意義不明の操作入力情報）が、当該画像形成デバイス３０にて受信されることが回避され得る。このように、上述のような問題（表示中画面の送出元デバイスとタッチ情報等の送出先デバイスとが合致しないことに起因する問題）を解決することが可能である。
【０１６３】
＜３．第３実施形態＞
第３実施形態は、第１実施形態および第２実施形態の変形例である。以下では、第１および第２実施形態との相違点を中心に説明する。
【０１６４】
上記第２実施形態では、時刻Ｔ２〜時刻Ｔ３までの期間において、切替前後の双方のインターフェイス５３，５４が無効化される。これにより、操作表示部４０から画像形成デバイス３０への無用な操作入力情報の送信が回避される。
【０１６５】
この第３実施形態においては、（第２実施形態とは異なり、）操作表示部４０側での無効化処理は行われず、時刻Ｔ２から時刻Ｔ３までの期間において無用な操作入力情報が画像形成デバイス３０へと送信される。ただし、画像形成デバイス３０は、当該期間に受信した操作入力情報を破棄する。
【０１６６】
図１９は、第３実施形態に係る動作を示すタイミングチャートであり、図２０は、第３実施形態に係る動作（パネル制御部４１の動作）を示すフローチャートである。
【０１６７】
この第３実施形態では、パネル制御部４１は、第２実施形態に類似した動作を実行する（図２０参照）。ただし、操作入力情報の送出先デバイスに関する無効化処理（ステップＳ１３）等は行われない。
【０１６８】
具体的には、第３実施形態においては、図１８のステップＳ１３，Ｓ１５の動作は行われない。また、図１８のステップＳ１１，Ｓ２０，Ｓ１４，Ｓ１２の動作がこの順序で行われる。詳細には、図１９および図２０に示すように、ステップＳ２０の切替処理（操作入力情報の送出先デバイスの切替処理）は、切替要求（ステップＳ１１）に応答して実行され（時刻Ｔ２）、ステップ１２の切替処理（表示内容の送出元デバイスの切替処理）は、ステップＳ１４にて表示用データの更新完了が判定されたことに応答して実行される（時刻Ｔ３）。図１５と同様、図１９の時刻Ｔ２から時刻Ｔ３までの期間において、画像形成デバイス３０（図では「ＭＦＰ」と表記）に向けて操作入力情報が送出される。
【０１６９】
ただし、画像形成デバイス３０は、サーバデバイス２０から切替要求を受信した時点（時刻Ｔ２）（図１２および図１９参照）から、所定時間ｔ０が経過した時点（時刻Ｔ３）までの期間（第２実施形態の無効化期間に相当する期間）において、変更後のインターフェイス５４を介して操作表示部４０（パネル制御部４１）から送信されてきた操作入力情報を破棄する。換言すれば、画像形成デバイス３０は、切替要求の受付直後の時点Ｔ２から更新完了時点Ｔ３までの期間にてタッチパネル４５にて受け付けられた操作入力情報を破棄する。
【０１７０】
このような態様によれば、第２実施形態と同様、上述のような問題（表示中画面の送出元デバイスとタッチ情報等の送出先デバイスとが合致しないことに起因する問題）をも解決することが可能である。詳細には、時刻Ｔ２から時刻Ｔ３までの期間に切替後の送出先デバイス３０にて受領された操作入力情報（画像形成デバイス３０にとって無意味な操作入力情報）が破棄されるので、画像形成デバイス３０（切替後デバイス）における無意味な操作入力情報が適切に取り扱われる。
【０１７１】
＜４．第４実施形態＞
第４実施形態は、第３実施形態等の変形例である。以下では、第３実施形態等との相違点を中心に説明する。
【０１７２】
上記第１実施形態および第３実施形態では、パネル制御部４１は、操作入力情報用インターフェイスを、切替要求受信直後の時刻Ｔ２にて切り替えている。
【０１７３】
この第４実施形態においては、パネル制御部４１は、表示用データの更新完了に応答して、操作入力情報用インターフェイスを切替後のインターフェイス（Ｉ２Ｃインターフェイス５４）へと切り替える（時刻Ｔ３）。換言すれば、切替要求受信直後の時刻Ｔ２ではなく表示用データの更新完了後の時刻Ｔ３にて、操作入力情報の送出先デバイスが変更される。
【０１７４】
図２１は、第４実施形態に係る動作を示すタイミングチャートであり、図２２は、第４実施形態に係る動作（パネル制御部４１の動作）を示すフローチャートである。。
【０１７５】
図２２に示すように、ステップＳ２０の実行タイミング以外は、第３実施形態（図２０参照）等と同様である。第４実施形態においては、ステップＳ１４で表示用データの更新完了が判定されたことに応答して、（ステップＳ１２の処理に加えて）ステップＳ２０の処理が実行される。
【０１７６】
具体的には、ステップＳ１１で切替要求が受信されるとステップＳ１４に進み、パネル制御部４１は、ステップＳ１４の待機ループにおいて表示用データの更新完了を待機する。
【０１７７】
そして、表示用データの更新処理が完了すると（時刻Ｔ３）、ステップＳ１２に進む。
【０１７８】
ステップＳ１２では、表示用インターフェイスの切替処理が実行される。詳細には、サーバデバイス２０用の表示用インターフェイス５１から画像形成デバイス３０用のインターフェイス５２への切替処理が実行される。このような切替処理によって、タッチパネル４５には切替後のデバイス（ここでは画像形成デバイス３０）用の画面が表示される（時刻Ｔ３）。
【０１７９】
また、ステップＳ２０では、操作入力情報用インターフェイスの切替処理が実行される。具体的には、操作入力情報用のインターフェイスが切替後のインターフェイス（Ｉ２Ｃインターフェイス５４）に変更される（時刻Ｔ３）。このように、表示用データの更新完了に応答してタッチパネル４５に関する操作入力情報の送出先デバイスが変更される。
【０１８０】
なお、ステップＳ１２，Ｓ２０は、ほぼ同じ時刻（ここでは、いずれも同じ時刻Ｔ３と表記）に実行される。
【０１８１】
そして、更新完了時点Ｔ３以後にてタッチパネル４５において受け付けられた操作入力情報は、変更後のインターフェイス５４を介して変更後の送出先デバイス３０に送出される。
【０１８２】
このような動作によれば、切替要求受領後の期間のうち、時刻Ｔ３以降（特に期間Ｄ９）においては、タッチパネル４５は、切替後デバイス（ここでは画像形成デバイス３０）用の表示画面（更新完了後の画面）が表示された状態を有するとともに、タッチパネル４５に関する操作入力情報（タッチ情報等）が当該切替後デバイスに送信される。換言すれば、表示中画面の送出元デバイスと操作入力情報の送出先デバイスとが合致している。
【０１８３】
また、切替要求受領後の期間のうち、時刻Ｔ１〜時刻Ｔ３の期間（特に期間Ｄ４）においては、タッチパネル４５は、切替前デバイス（ここではサーバデバイス２０）用の表示画面（更新前の画面）が表示された状態を有するとともに、タッチパネル４５に関する操作入力情報（タッチ情報等）が当該切替前デバイスに送信される。すなわち、表示中画面の送出元デバイスと操作入力情報の送出先デバイスとが合致している。換言すれば、当該表示用データの更新完了時点Ｔ３の前の期間において受け付けられた操作入力情報（サーバデバイス２０向けの操作入力情報）は、当該操作入力情報の本来の送出先デバイスである切替前の送出先デバイス（サーバデバイス２０）に向けて（ユーザの本来の意図に反することなく）送信される。したがって、表示中画面の送出元デバイスとタッチ情報等の送出先デバイスとが合致しないことを回避することが可能である。
【０１８４】
なお、この態様では、時刻Ｔ１〜時刻Ｔ３の期間においても、タッチパネル４５に対するユーザ操作に基づく操作入力情報は、有効な情報のまま取り扱われればよい。具体的には、時刻Ｔ１〜時刻Ｔ３の期間においては、タッチパネル４５に対するユーザ操作に基づく操作入力情報は、操作表示部４０からサーバデバイス２０へと送信されればよい。
【０１８５】
＜５．第５実施形態＞
第５実施形態は、第４実施形態の変形例である。以下では、第４実施形態等との相違点を中心に説明する。
【０１８６】
図２３は、第５実施形態に係る動作を示すタイミングチャートである。図２３を参照しながら、第５実施形態について説明する。
【０１８７】
第５実施形態では、基本的には第４実施形態と同様の動作が行われる。たとえば、パネル制御部４１は、表示用データの更新完了に応答して操作入力情報用インターフェイスを切替後のインターフェイス（Ｉ２Ｃインターフェイス５４）へと切り替える（時刻Ｔ３）。換言すれば、切替要求受信直後の時刻Ｔ２ではなく表示用データの更新完了後の時刻Ｔ３にて、操作入力情報の送出先デバイスが変更される。
【０１８８】
第５実施形態では、第４実施形態の動作に加えて、更なる動作が実行される。
【０１８９】
具体的には、パネル制御部４１は、切替要求受信直後の時刻Ｔ２から表示用データの更新完了時点Ｔ３までの期間において、タッチパネル４５（詳細にはそのバックライト（液晶表示パネルのバックライト））をオフ状態（消灯状態）に維持する。
【０１９０】
詳細には、パネル制御部４１は、切替要求に応答してタッチパネル４５を消灯する（時刻Ｔ２）。また、パネル制御部４１は、表示用データの更新完了に応答して当該バックライトを再点灯する（時刻Ｔ３）とともに、タッチパネル４５に関する操作入力情報の送出先のデバイスを変更する（時刻Ｔ３）。バックライトの再点灯後にてタッチパネル４５において受け付けられた操作入力情報は、変更後の送出先デバイス３０に送出される。
【０１９１】
以上の動作においては、切替要求に応答してタッチパネル４５を消灯し、その消灯期間にてタッチパネル４５の表示画面をユーザに見せないことによって、当該消灯期間にてユーザ操作が行われること自体を抑制することが可能である。したがって、消灯期間における不一致に関する問題（表示中画面の送出元デバイスと操作入力情報の送出先デバイスとが一致しないこと）の発生を回避することが可能である。
【０１９２】
なお、この実施形態では、バックライトの再点灯直前まではタッチパネル４５において仮に受け付けられた操作入力情報が存在する場合には、当該操作入力情報は変更前の送出先デバイス（サーバデバイス２０）に送出される。ただし、本発明は、これに限定されない。
【０１９３】
たとえば、パネル制御部４１は、タッチパネル４５の消灯期間（時刻Ｔ２〜時刻Ｔ３）にてタッチパネル４５によって受け付けられた操作入力情報を無効化し、当該消灯期間内の操作入力情報をいずれのデバイス２０，３０にも送出しないようにしてもよい。そして、パネル制御部４１は、タッチパネル４５のバックライトの再点灯時点から、操作入力情報の送出を再開してもよい。具体的には、パネル制御部４１は、当該再点灯後（時刻Ｔ３の後）にてタッチパネル４５によって受け付けられた操作入力情報を、変更後の送出先デバイス（たとえば画像形成デバイス３０）に送出してもよい。
【０１９４】
このような改変例によれば、消灯期間にて操作パネルにおいて受け付けられた操作入力情報が無効され、当該期間内の操作入力情報はいずれのデバイス２０，３０にも送出されない。当該消灯期間内に入力された操作入力情報は、いずれのデバイスにとっても無意味な操作入力情報である可能性が高く、そのような操作入力情報がいずれかのデバイスに送出されることを回避することが可能である。
【０１９５】
＜６．第６実施形態＞
第６実施形態は、第２実施形態等の変形例である。以下では、第２実施形態との相違点を中心に説明する。
【０１９６】
第６実施形態においては、パネル制御部４１は、切替要求の受付直後の時点（時刻Ｔ２）で一連の操作入力が行われているときには、当該一連の操作入力が完了するまではタッチパネル４５に関する操作入力情報の送出先のデバイスを変更しない。パネル制御部４１は、当該一連の操作入力が完了した後（詳細には、第６実施形態では、無効化期間の終了後の時刻Ｔ３）に、タッチパネル４５に関する操作入力情報の送出先のデバイスを変更する。
【０１９７】
図２４は、第６実施形態に係る動作を示すタイミングチャートであり、図２５は、第６実施形態に係る動作（パネル制御部４１の動作）を示すフローチャートである。。
【０１９８】
第６実施形態の図２５と第２実施形態の図１８とを比較すると判るように、第６実施形態においては、ステップＳ３１の処理がステップＳ１１の直後に追加されている。
【０１９９】
また、第６実施形態の図２４と第２実施形態の図１７とを比較すると判るように、第６実施形態においては、切替前のデバイス（サーバデバイス２０）に対する操作入力情報（タッチ情報等）の送出が、時刻Ｔ２までではなく更に後の時刻（一連の操作入力の完了時点）Ｔ６まで継続されている。換言すれば、当該一連の操作入力が完了する時刻Ｔ６まではタッチパネル４５に関する操作入力情報の送出先デバイスが変更されない。なお、ここでは、切替要求の受付時点Ｔ１で既に開始されていた一連の操作（たとえば、長押し操作（ロングタップ）あるいはドラッグ操作等）が、時刻Ｔ６に完了する（時刻Ｔ６まで継続される）状況を想定している。
【０２００】
これによれば、切替前のデバイス（サーバデバイス２０）に関する操作画面に対して開始された一連の操作が時刻Ｔ６に至るまで継続される場合に、当該一連の操作（一定期間に亘って継続する操作）に関する操作入力情報が、当該一連の操作の完了（時刻Ｔ６）まで、本来の送出先デバイスである切替前の送出先デバイス（ここではサーバデバイス２０）に向けて確実に送出され得る。
【０２０１】
また、（第２実施形態と同様に）その後の無効化期間（バッファ期間）が設けられることによって、当該無効化期間（時刻Ｔ６から時刻Ｔ３までの期間）においては、操作入力情報が切替後デバイス（画像形成デバイス３０）に送出されない。したがって、画像形成デバイス３０にとって無意味な操作入力情報（無用な操作入力情報）が、当該画像形成デバイス３０にて受信されることが回避され得る。
【０２０２】
そして、当該一連の操作入力が完了した時刻Ｔ６の後且つ無効期間の終了時点Ｔ３の直後に、タッチパネル４５に関する操作入力情報の送出先デバイスが変更される。具体的には、変更後の送出先デバイス３０に対応する変更後のインターフェイス５４を介して、タッチパネル４５に関する操作入力情報が変更後の送出先デバイス３０に対して送出される。
【０２０３】
なお、第６実施形態では、パネル制御部４１は、当該一連の操作入力が完了し且つ無効化期間も終了した時刻Ｔ３以後において、タッチパネル４５に関する操作入力情報が変更後のデバイスへと送出されているが、これに限定されない。たとえば、当該一連の操作入力が完了した時刻Ｔ６の直後から、タッチパネル４５に関する操作入力情報が、変更後のデバイス（画像形成デバイス３０）へと送出されてもよい。この場合、無用な操作入力情報を時刻Ｔ６から時刻Ｔ３までの期間において受信したデバイス（画像形成デバイス３０）は、第３実施形態と同様に、当該期間に受信した操作入力情報（無用な操作入力情報）を破棄することが好ましい。
【０２０４】
＜６．変形例等＞
以上、この発明の実施の形態について説明したが、この発明は上記説明した内容のものに限定されるものではない。
【０２０５】
たとえば、上記各実施形態においては、パネル制御部４１は、タッチパネル４５に関する操作入力情報の送出先デバイスを切替後デバイスへと変更すべき旨の切替要求を「切替前デバイス」（サーバデバイス２０）から受け取っているが、これに限定されない。パネル制御部４１は、タッチパネル４５に関する操作入力情報の送出先デバイスを切替後デバイスへと変更すべき旨の切替要求を「切替後デバイス」（画像形成デバイス３０）自身から受け取ってもよい。より詳細には、画像形成デバイス３０にて用紙ジャム（用紙詰まり）等の障害事象が発生した場合に、当該障害事象の発生を表示画面を用いてユーザに通知することが望ましい状況が存在する。このような状況において、画像形成デバイス３０は、タッチパネル４５に関する操作入力情報の送出先デバイス（操作表示部４０の利用デバイス）を画像形成デバイス３０自身に変更すべき旨の指令（切替要求）を、パネル制御部４１（切替要求取得部４４）に対して送信（送出）してもよい。また、パネル制御部４１は、当該画像形成デバイス３０から受信した当該切替要求に基づいて、タッチパネル４５に関する操作入力情報の送出先デバイスをサーバデバイス２０から画像形成デバイス３０へと変更すればよい。
【符号の説明】
【０２０６】
１０  ＭＦＰ
２０  サーバデバイス
３０  画像形成デバイス
４０  操作表示部
４１  パネル制御部
４５  タッチパネル
５３  サーバデバイス用のインターフェイス（ＵＳＢインターフェイス）
５４  画像形成デバイス用のインターフェイス（Ｉ２Ｃインターフェイス）
５５〜５７  通信線（信号線）
【図１】
2018139401.tif 000003
【図２】
2018139401.tif 000004
【図３】
2018139401.tif 000005
【図４】
2018139401.tif 000006
【図５】
2018139401.tif 000007
【図６】
2018139401.tif 000008
【図７】
2018139401.tif 000009
【図８】
2018139401.tif 000010
【図９】
2018139401.tif 000011
【図１０】
2018139401.tif 000012
【図１１】
2018139401.tif 000013
【図１２】
2018139401.tif 000014
【図１３】
2018139401.tif 000015
【図１４】
2018139401.tif 000016
【図１５】
2018139401.tif 000017
【図１６】
2018139401.tif 000018
【図１７】
2018139401.tif 000019
【図１８】
2018139401.tif 000020
【図１９】
2018139401.tif 000021
【図２０】
2018139401.tif 000022
【図２１】
2018139401.tif 000023
【図２２】
2018139401.tif 000024
【図２３】
2018139401.tif 000025
【図２４】
2018139401.tif 000026
【図２５】
2018139401.tif 000027